(57)【要約】      （修正有）【課題】複数種類の光源下での視感測定がより簡易に正確にでき、複数の光源の光が、異なる光量で混じりあったときの視感判定ができ、複数方向からの視感測定ができる視感測定用光源装置を提供する。【解決手段】２種類以上の光源が、それぞれのケースの上部に収納されており、各ケースの前面の壁がなく、各光源を単独で点灯及び消灯でき、前面から試料の光源による視感の違いを判定できるものであって、各ケースの間が仕切り板によって仕切られている。【選択図】図１
0003110469.tif 000002
【実用新案登録請求の範囲】
【請求項１】
２種類以上の光源が、それぞれのケースの上部に収納されており、各ケースの前面の壁がなく、各光源を単独で点灯及び消灯でき、前面から試料の光源による視感の違いを判定できることを特徴とする視感測定用光源装置。
【請求項２】
前記各ケースの間が仕切り板によって仕切られていることを特徴とする請求項１記載の視感測定用光源装置。
【請求項３】
前記仕切り板が取り外し可能であることを特徴とする請求項２記載の視感測定用光源装置。
【請求項４】
前記各ケースの前面と後面との間に、後面と平行に分割用板を有し、前記光源が、当該分割用板の前後に設けてあることを特徴とする請求項１記載の視感測定用光源装置。
【請求項５】
前記ケースの後面に、背景パネルを取り外し可能に設けることができる溝を有することを特徴とする請求項１〜３記載の視感測定用光源装置。
【請求項６】
前記ケースの後面に設ける背景パネルとして、無彩色のパネル、有彩色のパネル又は透明パネルのうち１又は２以上のパネルを付属することを特徴とする請求項５記載の視感測定用光源装置。
【請求項７】
各光源の照度を個別に調整する照度調整手段を有することを特徴とする請求項１〜６記載の視感測定用光源装置。
【考案の詳細な説明】
【技術分野】
【０００１】
本考案は、視感測定用光源装置に関する。
【背景技術】
【０００２】
従来、視感測定に用いられる光源装置は、１つの箱の中に光源を配置していた（例えば、特許文献１、非特許文献１参照）。
【特許文献１】特開平６−３４４３６号公報（図１）
【非特許文献１】ＪＩＳＨ８６８６-１アルミニウム及びアルミニウム合金の陽極酸化皮膜の写像性試験方法−第１部：視感測定法（第２ページ図１）
【０００３】
光源の種類としては、Ｄ６５光、Ａ光、ブラックライトなどがあり、必要に応じて、点灯を切り替えて、光源の下方に置いた試料の見え方を測定する。
【０００４】
箱は、前面以外、すなわち、上面、下面、左右側面及び後面が壁となっており、後面は無彩色（Ｎ５）のパネルである。
【０００５】
複数の光源を同時に点灯させることができる視感測定用光源装置もある。
【考案の開示】
【考案が解決しようとする課題】
【０００６】
しかし、従来の視感測定用光源装置においては、例えば、Ｄ６５光で測定した後、Ａ光で測定する際、Ｄ６５光で測定したときの見え方を記憶しておかなければならないという問題があった。
【０００７】
また、複数の光源の下で測定する際も、試料が受ける各光源からの光量の比は変えられないという問題があった。
【０００８】
また、前面から観察するのみ可能であるため、複数人が同時に測定することができないという問題があった。
【０００９】
本考案は、かかる問題を鑑みてなされたものであり、したがって、本考案の目的は、複数種類の光源下での視感測定がより簡易に正確にでき、複数の光源の光が、異なる光量で混じりあったときの視感判定ができ、複数方向からの視感測定ができる視感測定用光源装置を提供することにある。本考案者らは、上記の目的を達成するために鋭意研究を重ねた結果、試行錯誤の上、本考案を完成するに至った。
【課題を解決するための手段】
【００１０】
上記目的を達成するために、本考案の視感測定用光源装置は、２種類以上の光源が、それぞれのケースの上部に収納されており、各ケースの前面の壁がなく、各光源を単独で点灯及び消灯でき、前面から試料の光源による視感の違いを判定できることを特徴とするものである。
【００１１】
また、本考案の視感測定用光源装置は、前記各ケースの間が仕切り板によって仕切られていることを特徴とするものである。
【００１２】
また、本考案の視感測定用光源装置は、前記仕切り板が取り外し可能であることを特徴とするものである。
【００１３】
また、本考案の視感測定用光源装置は、前記各ケースの前面と後面との間に、後面と平行に分割用板を有し、前記光源が、当該分割用板の前後に設けてあることを特徴とするものである。
【００１４】
また、本考案の視感測定用光源装置は、前記ケースの後面に設ける背景パネルとして、無彩色のパネル、有彩色のパネル又は透明パネルのうち１又は２以上のパネルを付属することを特徴とするものである。
【００１５】
また、本考案の視感測定用光源装置は、前記ケースの後面に、背景パネルを取り外し可能に設けることができる溝を有することを特徴とするものである。
【００１６】
また、本考案の視感測定用光源装置は、各光源の照度を個別に調整する照度調整手段を有することを特徴とするものである。
【考案の効果】
【００１７】
本考案の視感測定用光源装置は、上述したとおりであるので、複数種類の光源下での視感測定がより簡易に正確にでき、複数の光源の光が、異なる光量で混じりあったときの視感判定ができ、複数方向からの視感測定ができる。
【考案を実施するための最良の形態】
【００１８】
本考案の最良の実施例について、以下に図を用いて詳細に述べる。
【実施例１】
【００１９】
図１は、本考案の視感測定用光源装置の実施例１の構成図である。本考案の実施例１の視感測定用光源装置（１０）では、光源Ａ（１）、光源Ｂ（２）、光源Ｃ（３）が、それぞれ隣接したケース（７）の上方に設けられている。各ケース（７）は、前面の壁がなく、各光源を単独で点灯及び消灯できる。したがって、ケース内に置いた試料について、ケースの前面から観察して、試料の光源による視感の違いを判定できる。
【００２０】
したがって、本考案の実施例１では、各光源下での視感を記憶しておかなくても、試料を横に移動させたり、複数個の試料にそれぞれ別の光源の光を照射させたりして、光源による視感の違いをすぐに知ることができる。
【００２１】
また、１つのケース内に全ての光源を押し入れていた従来型と異なり、それぞれ別のケースに光源を設けてあるため、自由に測定する光源の種類を増減、選択できる。
【００２２】
本考案の実施例１では、各ケース（７）は、ケース間が仕切り板（４）によって仕切られており、仕切り板（４）は取り外しが可能である。最も外側のケースの外側の側面には壁が設けてある。したがって、仕切り板（４）を取り外すと、全体がひとつのケースのように用いることができる。図２は、本考案の視感測定用光源装置の実施例１で仕切り板を取り外したときの状態図である。
【００２３】
したがって、本考案の実施例１では、２光源の光が混合した状態の視感判定ができる。また、試料の置く場所によって、光の混合具合も１:１だけでなく、１:４や２:３など、自由に変えて視感判定ができる。
【００２４】
本考案の実施例１では、各ケース（７）の後面に、背景パネルを取り外し可能に設けることができる溝（８）を有する。図３は、本考案の視感測定用光源装置の実施例１の背面図である。溝（８）にパネル（６）を嵌めたり外したりすることができる。
【００２５】
したがって、本考案の実施例１では、前面後面のいずれの方向からも視感判定ができる。
【００２６】
本考案の実施例１では、ケース（７）の後面に設ける背景パネルとして、無彩色のパネル、有彩色のパネル、透明パネルの３種類のパネル（６）を付属する。無彩色のパネルとしては、灰色、白色、黒色がある。有彩色のパネルとしては、例えば、赤色、クリーム色、青色等がある。
【００２７】
したがって、本考案の実施例１では、実地の状態の視感判定が可能となる。
【００２８】
本考案の実施例１では、さらに、各光源の照度を個別に調整する照度調整手段として、照度調整ボタン（９）を有する。各光源は、各電源スイッチ（１１）をオンオフして点灯消灯する。各光源の照度は各表示板（１２）に表示される。
【００２９】
したがって、本考案の実施例１では、実情に即した照明を行うことができる。
【００３０】
よって、本考案の実施例１の視感測定用光源装置によれば、複数種類の光源下での視感測定がより簡易に正確にでき、複数の光源の光が、異なる光量で混じりあったときの視感判定ができ、複数方向からの視感測定ができる。
【実施例２】
【００３１】
図４は、本考案の視感測定用光源装置の実施例２の構成図である。本考案の実施例２の視感測定用光源装置は、実施例１とは、各ケース（７）の前面と後面との間に、後面と平行に分割用板（５）を有し、各光源が、分割用板（５）の前後に設けてある点、照度調整ボタンがない点以外は同じである。
【００３２】
したがって、本考案の実施例２では、同時に複数の人が視感測定をすることができる。
【００３３】
また、本考案の実施例２の視感測定用光源装置によれば、複数種類の光源下での視感測定がより簡易に正確にでき、複数の光源の光が、異なる光量で混じりあったときの視感判定ができる。
【図面の簡単な説明】
【００３４】
【図１】本考案の視感測定用光源装置の実施例１の構成図である。
【図２】本考案の視感測定用光源装置の実施例１で仕切り板を取り外したときの状態図である。
【図３】本考案の視感測定用光源装置の実施例１の背面図である。
【図４】本考案の視感測定用光源装置の実施例２の構成図である。
【符号の説明】
【００３５】
１  光源Ａ
２  光源Ｂ
３  光源Ｃ
４  仕切り板
５  分割用板
６  パネル
７  ケース
８  溝
９  照度調整ボタン
１０  視感測定用光源装置
１１  電源スイッチ
１２  表示板
【図１】
0003110469.tif 000003
【図２】
0003110469.tif 000004
【図３】
0003110469.tif 000005
【図４】
0003110469.tif 000006